(57)【要約】      （修正有）【課題】水道の水栓、飲料タンクのタップなどに利用可能なばね板式制水弁の構造を提供する。【解決手段】主にケーシング１０と、ケーシング内部に回動自在に設けられた制御台１１と、制御台の上端に設けられた２つの突起柱１１２と、制御台の内部に枢設された制御弁棒１２と、制御台の上端に取り付けられた回動駆動台１３と、回動駆動台の上端に形成された係合部１４と、弁箱の内部に取り付けられ、かつ、制御台に接続する水供給機構１５と、制御弁棒の側面に設けられた分段式駆動部１６と、２つの突起柱の間に挿入され、かつ、分段式駆動部とともに動く滑り駒１７と、係合部上に隔てた２箇所にまたがって設けられ、かつ、２つの突起柱と滑り駒の中に挿通され、滑り駒を通常位置に戻す弾性力を提供するばね板１８と、を含む。【選択図】図２
0003216511.tif 000002
【実用新案登録請求の範囲】
【請求項１】
ケーシング１０と、制御台１１と、制御弁棒１２と、回動駆動台１３と、係合部１４と、水供給機構１５と、少なくとも１つの分段式駆動部１６と、少なくとも１つの滑り駒１７と、少なくとも１つのばね板１８と、を含む、ばね板式制水弁の構造であって、
前記ケーシング１０が中空の筒状構造に形成され、上端開口部１０１と、下端開口部１０２とを有し、
前記制御台１１を前記ケーシング内部に回動自在に設け、かつ、上端開口部１０１の一端に寄せ付けており、制御台１１の中央部は縦方向に貫通した弁棒収容孔１１１を有し、前記制御台１１の上端に少なくとも２つの突起柱１１２を設け、
前記制御弁棒１２は、軸棒構成品１２１を前記制御台１１に枢設する前記弁棒収容孔１１１の縦方向に組み付けて位置を制限して揺動変位した状態を形成し、
前記回動駆動台１３は輪状構造を形成していて、前記制御台１１の上端に取り付けて、回動駆動台１３と前記制御台１１が同期して回動し、
前記係合部１４を回動駆動台１３の上端に形成し、
前記水供給機構１５を前記ケーシング１０の内部に設けて、前記下端開口部１０２の一端に寄せ付けて、前記水供給機構１５が前記制御台１１と繋がっていて、前記制御弁棒１２が前記制御台１１を駆動することによって、前記水供給機構１５を介して出水状態を制御し、
前記少なくとも１つの分段式駆動部１６を前記制御弁棒１２の側面に設け、前記分段式駆動部１６の周縁に複数の凹み溝１６１を設け、
前記少なくとも１つの滑り駒１７が２つの突起柱１１２の間に挿入され、前記水供給機構１５の水量供給方式に対応して、前記少なくとも１つの滑り駒１７の上端を対応の凹み溝１６１に収容し、
前記少なくとも１つのばね板１８が位置規制されて、前記係合部１４の少なくとも２つの間隔位置にまたがって設けられ、前記少なくとも２つの突起柱１１２と、前記少なくとも１つの滑り駒１７の中に挿通され、前記少なくとも１つのばね板１８によって、前記少なくとも１つの滑り駒１７を通常位置に戻す弾性力が提供され、
前記少なくとも１つのばね板１８の長さが前記少なくとも２つの突起柱１１２の間の距離より大きいことを特徴とする、ばね板式制水弁の構造。
【請求項２】
前記係合部１４にリング状突起部１４１と、肩部１４２を有しており、前記係合部１４が階段構造を形成し、前記肩部１４２が前記少なくとも１つのばね板１８の端部の当接に提供するとともに、前記少なくとも１つのばね板１８の周縁を前記リング状突起部１４１に当接され、前記係合部１４と、前記少なくとも１つのばね板１８との間に回動中の位置規制を行うことを特徴とする、請求項１記載のばね板式制水弁の構造。
【請求項３】
前記２つの突起柱１１２の内面に、それぞれ前記少なくとも１つのばね板１８を挿通させるための凹部１１３を形成し、前記凹部１１３の溝の幅は、前記少なくとも１つのばね板１８の厚みより大きいことを特徴とする、請求項２記載のばね板式制水弁の構造。
【請求項４】
ケーシング１０と、係合部１４と、制御台１１と、制御弁棒１２と、水供給機構１５と、少なくとも１つの分段式駆動部１６と、少なくとも１つの滑り駒１７と、少なくとも１つのばね板１８と、を含む、ばね板式制水弁の構造であって、
前記ケーシング１０が中空の筒状構造に形成され、上端開口部１０１と、下端開口部１０２とを有し、
前記係合部１４を前記ケーシング１０の上端に形成し、
前記制御台１１を前記ケーシング内部に回動自在に設け、前記上端開口部１０１の一端に寄せ付けており、前記制御台１１の中央部は縦方向に貫通した弁棒収容孔１１１を有し、前記制御台１１の上端に少なくとも２つの突起柱１１２を設け、
前記制御弁棒１２は、軸棒構成品１２１を前記制御台１１に枢設する前記弁棒収容孔１１１の縦方向に組み付けて位置を制限して揺動変位した状態を形成し、
前記水供給機構１５を前記ケーシング１０の内部に設けて、前記下端開口部１０２の一端に寄せ付けて、前記水供給機構１５が前記制御台１１と繋がっていて、前記制御弁棒１２が前記制御台１１を駆動することによって、前記水供給機構１５を介して出水状態を制御し、
前記少なくとも１つの分段式駆動部１６を前記制御弁棒１２の側面に設け、前記分段式駆動部１６の周縁に複数の凹み溝１６１を設け、
前記少なくとも１つの滑り駒１７が２つの突起柱１１２の間に挿入され、前記水供給機構１５の水量供給方式に対応して、前記少なくとも１つの滑り駒１７の上端を対応の凹み溝１６１に収容し、
前記少なくとも１つのばね板１８が位置規制されて、前記係合部１４の少なくとも２つの間隔位置にまたがって設けられ、前記少なくとも２つの突起柱１１２と、前記少なくとも１つの滑り駒１７の中に挿通され、前記少なくとも１つのばね板１８によって、前記少なくとも１つの滑り駒１７を通常位置に戻す弾性力が提供され、
前記少なくとも１つのばね板１８の長さが前記少なくとも２つの突起柱１１２の間の距離より大きいことを特徴とする、ばね板式制水弁の構造。
【請求項５】
前記係合部１４にリング状突起部１４１と、肩部１４２を有しており、前記係合部１４が階段構造を形成し、前記肩部１４２が前記少なくとも１つのばね板１８の端部の当接に提供するとともに、前記少なくとも１つのばね板１８の周縁を前記リング状突起部１４１に当接され、前記係合部１４と、前記少なくとも１つのばね板１８との間に回動中の位置規制を行うことを特徴とする、請求項４記載のばね板式制水弁の構造。
【考案の詳細な説明】
【技術分野】
【０００１】
本考案は制水弁に関し、新しい構造のばね板式制水弁の構造に関する。
【背景技術】
【０００２】
公知の分段式開閉の制水弁は、主に底部に設けられたくり抜きのケーシングと、ケーシングに回動自在に設けられた連動台と、連動台上部に枢設された制御棒と、を含む。そのうち、前記制御棒と、前記連動台との間に前記制御棒を通常位置に戻す弾性力を提供する弾性素子が設けられている。
【考案の概要】
【考案が解決しようとする課題】
【０００３】
しかしながら、前記弾性素子の体積を非常に小さく作らないと、制水弁の限られた狭い制御棒構造に組み込めない。そうすると、構成品が小さすぎて、組立の不便をきたすほか、製造速度が遅いために効率が悪く、瑕疵や不良率が高くなる等の課題が残ってしまい、さらに、使用者が制御棒を操作するときに硬い手応えを感じるという欠点が残る。
【０００４】
本考案の主な目的は、一種のばね板式制水弁の構造を提供することである。解決しようとする技術課題をより理想的、より実用的なばね板式制水弁の構造の目標に向けて、改良及び突破を図りたい。
【課題を解決するための手段】
【０００５】
本考案で課題解決に使用する技術の特徴によれば、ばね板式制水弁の構造は主にケーシングと、ケーシング内部に回動自在に設けられた制御台と、制御台の上端に設けられた２つの突起柱と、制御台の内部に枢設された制御弁棒と、制御台の上端に取り付けられた回動駆動台と、回動駆動台の上端に形成された係合部と、ケーシングの内部に取り付けられ、かつ、制御台に接続する水供給機構と、制御弁棒の側面に設けられた分段式駆動部と、２つの突起柱の間に挿入され、かつ、分段式駆動部とともに動く滑り駒と、係合部上に隔てた２箇所にまたがって設けられ、かつ、２つの突起柱と滑り駒の中に挿通されて滑り駒を通常位置に戻す弾性力を提供するばね板と、を含む。
【０００６】
このような斬新、独特な構造により、本考案は先行技術に比べて、ばね板を回動駆動台上部にまたがって設けることによって、ばね板の長さは少なくとも２つの突起柱の距離よりも長く、ばね板が滑り駒より加えられた作用力によって曲げ変位したとき、ばね板の単位変位量が大きすぎず、前述の公知の制水弁のような硬い手応えの問題を引き起こさない。制御弁棒を容易に揺動変位させることができるほか、より良い手応えを有した使用の長所と、目的を備えることから、特に実用性、技術的利点、より良い産業利用効果を有する。
【図面の簡単な説明】
【０００７】
【図１】本考案のばね板式制水弁の構造の第１実施形態による立体組合せ図である。
【図２】図１に係る分解立体図である。
【図３】図１による断面図である。
【図４】図３による作動図（その１）である。
【図５】図４による作動図（その２）である。
【図６】本考案の第２実施形態による組合せ断面図である。
【図７】本考案の第３実施形態の要部を示す上面図である。
【図８】図７による組合せ断面図である。
【考案を実施するための形態】
【０００８】
図１ないし４で、本考案のばね板式制水弁の構造の第１実施形態を参照する。ただし、これらの実施形態は説明の目的に過ぎず、請求範囲がこれらの構造に拘束されないものとする。ばね板式制水弁の構造はケーシング１０と、制御台１１と、制御弁棒１２と、回動駆動台１３と、係合部１４と、水供給機構１５と、分段式駆動部１６と、滑り駒１７と、ばね板１８と、を含む。そのうち、ケーシング１０は中空の筒状構造に形成され、ケーシング１０上端開口部１０１と、下端開口部１０２を有する。制御台１１はケーシング内部に回動自在に設けられ、かつ上端開口部１０１の一端に寄せ付けており、制御台１１の中央部は縦方向に貫通した弁棒収容孔１１１を有し、このほか、制御台１１の上端に２つの突起柱１１２が設けられている。本実施形態において、２つの突起柱１１２の内面に、それぞればね板１８を挿通させるための凹部１１３を形成する。凹部１１３の溝の幅は、ばね板１８の厚みより大きい。
【０００９】
制御弁棒１２は、軸棒構成品１２１を制御台１１に枢設する弁棒収容孔１１１の縦方向に組み付けられ、位置を制限して揺動変位した状態を形成する。回動駆動台１３は輪状構造を形成していて、かつ、制御台１１の上端に取り付けられて、回動駆動台１３と、制御台１１が同期して回動する。
【００１０】
分段式駆動部１６を制御弁棒１２の側面に設け、分段式駆動部１６の周縁に複数の凹み溝１６１を設ける。
【００１１】
滑り駒１７は２つの突起柱１１２の間に挿入され、かつ、水供給機構１５の水量供給方式に対応して、滑り駒１７上端は対応の凹み溝１６１に収容されている。本実施形態において、滑り駒１７上端はＶ形構造態様で形成されている。
【００１２】
ばね板１８は位置規制されて係合部１４の２つの間隔位置にまたがって設けられ、かつ、２つの突起柱１１２と、滑り駒１７の中に挿通されている。そのうち、ばね板１８の長さが２つの突起柱１１２の間の距離より大きく、ばね板１８が滑り駒１７より加えられた作用力によって曲げ変形したとき、ばね板１８の単位変位量が大きすぎず、前述の公知の制水弁のような手応え問題が起きない。これにより、ばね板１８の変形量を少なくできる等の効果を有する。ばね板１８によって、滑り駒１７を通常位置に戻す弾性力を提供することができ、ばね板１８を滑り駒１７の下方で支えて、上に支える弾性力を形成することによって、滑り駒１７を常に上向きに対応の凹み溝１６１に当接させる。本実施形態において、ばね板１８両端がそれぞれ回動駆動台１３のリング状突起部１４１に対応してアーチ状構造が形成されている。
【００１３】
係合部１４に形成する回動駆動台１３の上端は、リング状突起部１４１と、肩部１４２をさらに有するため、係合部１４が階段構造を形成し、本考案全体の構造が組立完了状態のとき、ばね板１８の端部が肩部１４２に当接し、ばね板１８の周縁がリング状突起部１４１に抵触するので、係合部１４と、ばね板１８の間に回動中の位置規制を行い、これにより、ばね板１８の緩み又は脱落の問題を有効に防止できる。
【００１４】
水供給機構１５をケーシング１０の内部に設けて、かつ、下端開口部１０２の一端に寄せ付けて、かつ、水供給機構１５が制御台１１と繋がっている。制御弁棒１２が制御台１１を駆動することによって、水供給機構１５を介して出水状態を制御できる。
【００１５】
図２に示すように、本実施形態において、軸棒構成品１２１は２つの当接保持具１２２と、２つの当接保持具１２２の間にあるばね１２３とを含む。制御台１１は、軸棒孔１１４をさらに有し、２つの当接保持具１２２と、ばね１２３の取り付けに提供される。かつ、当接保持具１２２を制御台１１の軸棒孔１１４に取り付けて、対応して突き出し状態を形成する。さらに、ケーシング１０の内縁には当接保持具１２２の位置に対応して、当接保持具１２２の係合固定に提供する嵌め込み凹部１０３が設けられている。使用者が制御弁棒１２を揺動変位させて制御台１１を駆動すると、当接保持具１２２をともに動かしてケーシング１０の内縁にて摺動させる。さらに、ばね１２３両端をそれぞれ２つの当接保持具１２２の内縁に当接することによって、２つの当接保持具１２２を外部に押し出す状態を形成する。当接保持具１２２が嵌め込み凹部１０３の内部に位置するとき、一定の抵抗力が形成されるため、一定の力を加えて締結状態を解除し、制御弁棒１２全体の揺動変位の抵抗力を向上させて、段階的な固定効果が達成される。
【００１６】
前述の構想と構成に基づいて、本考案を使用するときの作動状況を以下の通り説明する。図３ないし５に示すように、使用者が水供給機構１５を調節するときに制御弁棒１２を揺動変位させて、ばね板１８によって、滑り駒１７を上に押し込む弾性力を提供し、滑り駒１７を常時に対応の凹み溝１６１に当接させる。引き続き、制御弁棒１２の揺動変位の角度に基づいて、分段式駆動部１６をともに動かし滑り駒１７を作動させると、制御弁棒１２の揺動変位の工程に抵抗の作用力が発生される。よって、使用者は、少し大きい力を加えなければ、制御弁棒１２を揺動変位させることができない。このとき、ばね板１８の長さが２つの突起柱１１２の間の距離より大きいことから、ばね板１８が曲げ変形を引き起こしたとき、ばね板１８の単位変位量が大きすぎず、前述の公知の制水弁のような手応えの悪い問題はなく、制御弁棒１２を容易に揺動変位させることができ、かつ、より良い手応え感の使用方式が得られる長所と目的を、達成できる。
【００１７】
図６で、本考案の第２実施形態を参照する。この実施形態と第１実施形態との主な違いは、係合部１４をケーシング１０の上端に形成していて、一方、ばね板１８も同じく位置規制されて、係合部１４上２つの間隔位置をまたがって設けられ、２つの突起柱１１２と、滑り駒１７の中に挿通される。ばね板１８によって、滑り駒１７を通常位置に戻す弾性力が提供される。特に説明するところは、使用者が制御弁棒１２を揺動変位させたとき、制御弁棒１２が制御台１１をともに動かし、ケーシング１０に対して回動すると同時に、制御台１１に設けられたばね板１８が係合部１４の間に対向して位置規制された回動工程が形成される。ばね板１８は係合部１４のリング状突起部１４１と、肩部１４２に当接されている。これにより、ばね板１８の緩み又は脱落を避けることができる。
【００１８】
図７、８で、本考案第３実施形態を参照する。図７は、制御弁棒１２を取り外した状態を示している。この実施形態が第１実施形態と異なる点は、主に制御弁棒１２の２つの対向側面に２つの分段式駆動部１６が設けられ、それぞれの分段式駆動部１６の周縁に複数の凹み溝１６１が設けられ、制御台１１の上端に４つの突起柱１１２を設けていて、かつ、２つの突起柱１１２を１組として、もう１組の突起柱１１２に対応して、対向の間隔位置に設けられている。そのうち、同じ組の２つの突起柱１１２の間に滑り駒１７が挿入され、各滑り駒１７の上端を対向の凹み溝１６１に収容されている。さらに、ばね板１８が位置規制されて、係合部１４の３つ（少なくとも２つ）の間隔位置にまたがって設けられ、各突起柱１１２と、各滑り駒１７の中に挿通されている。ばね板１８によって、各滑り駒１７を通常位置に戻す弾性力が提供される。本実施形態のように、ばね板１８はＵ形構造に形成しても良いが、これに限られない。
【産業上の利用可能性】
【００１９】
本考案の制水弁は水道の水栓、飲料タンクのタップなどに利用可能であり、制水弁の切り替えは、止水と吐水、冷水と温水など給水動作の切り替えに有用である。
【符号の説明】
【００２０】
１０  ケーシング
１０１  上端開口部
１０２  下端開口部
１０３  嵌め込み凹部
１１  制御台
１１１  弁棒収容孔
１１２  突起柱
１１３  凹部
１１４  軸棒孔
１２  制御弁棒
１２１  軸棒構成品
１２２  当接保持具
１２３  ばね
１３  回動駆動台
１４  係合部
１４１  リング状突起部
１４２  肩部
１５  水供給機構
１６  分段式駆動部
１６１  凹み溝
１７  滑り駒
１８  ばね板
【図１】
0003216511.tif 000003
【図２】
0003216511.tif 000004
【図３】
0003216511.tif 000005
【図４】
0003216511.tif 000006
【図５】
0003216511.tif 000007
【図６】
0003216511.tif 000008
【図７】
0003216511.tif 000009
【図８】
0003216511.tif 000010